(57)【要約】【課題】保存安定性に優れ、かつ優れた彩度の記録物を得ることのできる、非水系インクジェット組成物を提供する。【解決手段】ジケトピロロピロール顔料を含有する顔料と有機溶剤とを含み、当該有機溶剤は、グリコールモノエーテルと、脂環構造を有する飽和炭化水素と、を含有する、非水系インクジェット組成物。【選択図】なし【特許請求の範囲】
【請求項１】
ジケトピロロピロール顔料を含有する顔料と、有機溶剤と、を含み、
前記有機溶剤は、グリコールモノエーテルと、脂環構造を有する飽和炭化水素と、を含有する、非水系インクジェット組成物。
【請求項２】
前記脂環構造を有する飽和炭化水素の炭素数が、８以上１４以下である、請求項１に記載の非水系インクジェット組成物。
【請求項３】
前記脂環構造を有する飽和炭化水素の含有量が、前記非水系インクジェット組成物の総量に対して、２０質量％以上７０質量％以下である、請求項１又は２に記載の非水系インクジェット組成物。
【請求項４】
前記グリコールモノエーテルは、下記式（１）で表される化合物を含む、請求項１〜３のいずれか一項に記載の非水系インクジェット組成物。
ＯＨ−（Ｒ2Ｏ）n−Ｒ1      （１）
（式（１）中、Ｒ1は、炭素数１〜７のアルキル基を示し、Ｒ2は、炭素数１〜３のアルキレン基を示し、ｎは、１〜７の整数を示す。）
【請求項５】
前記グリコールモノエーテルの含有量が、前記非水系インクジェット組成物の総量に対して、２０質量％以下である、請求項１〜４のいずれか一項に記載の非水系インクジェット組成物。
【請求項６】
前記ジケトピロロピロール顔料の平均粒子径が、１００ｎｍ以上２４０ｎｍ以下である、請求項１〜５のいずれか一項に記載の非水系インクジェット組成物。
【請求項７】
前記顔料の含有量が、前記非水系インクジェット組成物の総量に対して、１．０質量％以上５．０質量％以下である、請求項１〜６のいずれか一項に記載の非水系インクジェット組成物。
【請求項８】
前記有機溶剤は、グリコールジエーテルをさらに含有する、請求項１〜７のいずれか一項に記載の非水系インクジェット組成物。
【請求項９】
前記有機溶剤は、環状ラクトン類をさらに含有する、請求項１〜８のいずれか一項に記載の非水系インクジェット組成物。
【請求項１０】
塩化ビニル樹脂をさらに含む、請求項１〜９のいずれか一項に記載の非水系インクジェット組成物。
【請求項１１】
請求項１〜１０のいずれか一項に記載のインクジェット組成物を用いて、被記録媒体にインクジェット法により記録を行う工程を有する、インクジェット記録方法。
【発明の詳細な説明】
【技術分野】
【０００１】
本発明は、非水系インクジェット組成物に関する。
【背景技術】
【０００２】
インクジェット記録方法は、比較的単純な装置で、高精細な画像の記録が可能であり、各方面で急速な発展を遂げている。その中で、より安定して高品質な記録物を得ることについて種々の検討がなされている。
【０００３】
例えば、特許文献１には、新規で分散安定性の優れた有機溶剤系顔料分散インク組成物、特にインクジェット印刷用インクに適した液状インク組成物を提供することを目的として、常温液状の脂肪族炭化水素を分散媒体とし、これに分散剤として従来公知で該媒体に溶解性の高分子分散剤を用い、カーボンや有機顔料の微細粒子である着色剤を該媒体中に分散させたインク組成物において、着色剤顔料の分散とその安定性を改善するために分散助剤としてN,N-ジアルキルアミノエチルアクリレートとN-(1’-スルホキシ-3’-メチル-5’-クロロ)-3-ヒドロキシ-2-ナフタレンカルボキサミド、または、N-(3’-スルホキシ)-3-ヒドロキシ-2-ナフタレンカルボキサミドを併存させる溶剤系顔料分散インク組成物が開示されている。
【先行技術文献】
【特許文献】
【０００４】
【特許文献１】特開２００８−１８５１号公報
【発明の概要】
【発明が解決しようとする課題】
【０００５】
しかしながら、特許文献１に記載のインク組成物に赤色色材を含ませた場合には、赤色色材の分散安定性には優れるものの、得られる記録物の濡れ広がり性に劣ることに起因して、優れた彩度の記録物を得ることができない。
【０００６】
そこで、本発明は、上述の課題の少なくとも一部を解決するためになされたものであり、保存安定性に優れ、かつ優れた彩度の記録物を得ることのできる、非水系インクジェット組成物を提供することを目的とする。
【課題を解決するための手段】
【０００７】
本発明者らは、上記従来技術の課題を解決すべく鋭意検討した結果、ジケトピロロピロール顔料を含有する顔料と、グリコールモノエーテル及び脂環構造を有する飽和炭化水素を含有する有機溶剤とを含む非水系インクジェット組成物を用いることで、保存安定性に優れ、かつ優れた彩度の記録物を得ることができることを見出し、本発明を完成させた。
【０００８】
すなわち、本発明は、ジケトピロロピロール顔料を含有する顔料と、有機溶剤と、を含み、前記有機溶剤は、グリコールモノエーテルと、脂環構造を有する飽和炭化水素と、を含有する、非水系インクジェット組成物である。このような非水系インクジェット組成物が本発明の課題を解決できる要因は下記のように考えられる。ただし、要因はこれに限定されない。すなわち、従来の非水系の組成物は、インクジェット法により吐出された直後において、得られる記録物の濡れ広がり性が十分ではないことに起因して、該記録物中の赤色色材が被記録媒体中に埋もれてしまい、該記録物の彩度を十分に優れたものとすることができない。一方、本実施形態の非水系インクジェット組成物は、そこに含まれる有機溶剤がグリコールモノエーテルを含有することに主に起因して、得られる記録物の濡れ広がり性を十分なものとし、かつ、脂環構造を有する飽和炭化水素を含むことに主に起因して、該組成物中の赤色色材の分散性を良好に維持することができる。これらの結果として、保存安定性に優れ、かつ優れた彩度の記録物を得ることができる。
【０００９】
また、本発明に係る非水系インクジェット組成物において、前記脂環構造を有する飽和炭化水素の炭素数が、８以上１４以下であると好ましく、前記脂環構造を有する飽和炭化水素の含有量が、前記非水系インクジェット組成物の総量に対して、２０質量％以上７０質量％以下であると好ましく、前記グリコールモノエーテルは、下記式（１）で表される化合物を含むと好ましい。
ＯＨ−（Ｒ2Ｏ）n−Ｒ1      （１）
（式（１）中、Ｒ1は、炭素数２〜７のアルキル基を示し、Ｒ2は、炭素数１〜３のアルキレン基を示し、ｎは、１〜７の整数を示す。）
【００１０】
また、本発明に係る非水系インクジェット組成物において、前記グリコールモノエーテルの含有量が、前記非水系インクジェット組成物の総量に対して、２０質量％以下であると好ましく、前記ジケトピロロピロール顔料の平均粒子径が、１００ｎｍ以上２４０ｎｍ以下であるとより好ましく、前記顔料の含有量が、前記非水系インクジェット組成物の総量に対して、１．０質量％５．０質量％以下であると好ましく、前記有機溶剤は、グリコールジエーテルをさらに含有すると好ましく、前記有機溶剤は、環状ラクトン類をさらに含有すると好ましく、塩化ビニル樹脂をさらに含むと好ましい。
【００１１】
加えて、本発明に係るインクジェット記録方法は、本発明に係る非水系インクジェット組成物を用いて、被記録媒体にインクジェット法により記録を行う工程を有する。
【図面の簡単な説明】
【００１２】
【図１】本発明の実施形態に係るプリンターの構成を模式的に示す斜視図である。
【発明を実施するための形態】
【００１３】
以下、必要に応じて図面を参照しつつ、本発明を実施するための形態（以下、「本実施形態」という。）について詳細に説明する。以下の本実施形態は、本発明を説明するための例示であり、本発明を以下の内容に限定する趣旨ではない。本発明はその要旨の範囲内で、適宜に変形して実施できる。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１４】
〔非水系インクジェット組成物〕
本実施形態の非水系インクジェット組成物（以下、単に「インクジェット組成物」、「非水系組成物」、「組成物」ともいう。）は、ジケトピロロピロール顔料を含有する顔料と、有機溶剤とを含む。また、上記有機溶剤は、グリコールモノエーテルと、脂環構造を有する飽和炭化水素とを含有する。
【００１５】
本実施形態の組成物は、ジケトピロロピロール顔料を含有する顔料と共にグリコールモノエーテル及び脂環構造を有する飽和炭化水素を含むことにより、保存安定性に優れ、かつ優れた彩度の記録物を得ることができる。この要因は、次のように推察される（ただし、要因はこれに限定されない。）。従来の非水系の組成物は、インクジェット法により吐出された直後において、得られる記録物の濡れ広がり性が十分ではないことに起因して、該記録物中の赤色色材が被記録媒体中に埋もれてしまい、該記録物の彩度を十分に優れさせることができない。一方、本実施形態の非水系組成物は、そこに含まれる有機溶剤がグリコールモノエーテルを含有することに主に起因して、得られる記録物の濡れ広がり性を十分なものとすることができる。それに加えて、本実施形態の非水系組成物は、そこに含まれる有機溶剤が、脂環構造を有する飽和炭化水素を含有することに主に起因して、該組成物中の赤色色材の分散性を良好に維持することができる。これらの結果として、本実施形態の組成物は保存安定性に優れ、また、優れた彩度の記録物を得ることができる。
【００１６】
本実施形態において「非水系」とは、有機溶剤等を主要な溶媒として、水を主要な溶媒としない組成物である。なお、ここで「主要な溶媒」とは、組成物中の含有量が組成物１００質量％に対して５０質量％以上であることをいい、７０質量％以上であることが好ましく、９０質量％以上であることがより好ましい。また、水を含有する場合は、組成物の調製において主な溶媒成分として意図的に水を添加しない組成物であることが好ましいが、不純物として不可避的に水分を含んでしまう場合であることが好ましい。組成物中の水の含有量は、組成物１００質量％に対して３．０質量％以下が好ましく、２．０質量％以下がより好ましく、１．０質量％以下がさらに好ましく、０．５質量％以下がさらに好ましい。水の含有量の下限は特に限定されず、検出限界以下であってもよく、０．０１質量％であってもよい。
【００１７】
組成物における水の含有量を調整する方法としては、例えば、組成物の各成分から水を除去する方法、具体的には有機溶剤に混入した水を除去する方法、組成物から水を除去する方法、及び組成物の調製時における水の混入を抑制する方法が挙げられる。このうち、有機溶剤に混入した水を除去する方法として、より具体的には、有機溶剤を蒸留精製する方法、水を選択的に透過する半透過膜に有機溶剤を透過させる方法、及び水を吸着する水吸着剤に有機溶剤に混入した水を選択的に吸着させる方法が挙げられる。これらの中では、水分量をより効率的かつ確実に低減できる観点から、蒸留精製する方法が好ましい。
【００１８】
本実施形態の非水系インクジェット組成物は、後述する顔料と有機溶剤とを含む。溶剤を含む組成物には大別して、リアルソルベント（高有機溶剤）組成物と、エコソルベント（低有機溶剤）組成物の２つがある。エコソルベント組成物は、低臭気性で人体や環境に配慮した組成物であり、労働安全衛生法が定める有機溶剤に該当しない、有機溶剤中毒予防則に定める第１種及び第２種有機溶剤にも該当しない、又は消防法に定める設置環境の屋内作業場において局所排気装置の義務付対象外となる有機溶剤を使用する。本実施形態の非水系組成物は、リアルソルベント組成物に用いられ得る有機溶剤と、エコソルベント組成物に用いられ得る有機溶剤のいずれも用いることができるが、中でもエコソルベント組成物に用いられ得る有機溶剤を含むことが好ましい。
【００１９】
本実施形態において「インクジェット組成物」は、インクジェット法により吐出して用いる組成物としての種々の用途に用いることができ、その用途は限定されない。用途として、具体的には、インク用が挙げられる。以下、本実施形態の組成物をインクジェット組成物の１実施形態である、インクジェット記録用インク組成物（以下、単に「インク組成物」ともいう。）として用いる場合についてより詳細に説明するが、本実施形態の組成物は、これに限定されない。
【００２０】
＜顔料＞
本実施形態の顔料は、ジケトピロロピロール顔料を含有すれば特に限定されないが、ジケトピロロピロール顔料のみであってもよく、ジケトピロロピロール顔料とジケトピロロピロール顔料以外の顔料（以下、「その他の顔料」ともいう。）との混合物であってもよい。
【００２１】
ジケトピロロピロール顔料としては、ジケトピロロピロール骨格を有するものであれば特に限定されず、ジケトピロロピロール骨格にアルキル基等の置換基を有するものであってもよく、有しないもの（置換基が全て水素原子であるもの）であってもよい。ジケトピロロピロール顔料の具体例として、特に限定されないが、例えば、Ｃ．Ｉ．ピグメントレッド２５４、Ｃ．Ｉ．ピグメントレッド２５５、Ｃ．Ｉ．ピグメントレッド２６４、Ｃ．Ｉ．ピグメントレッド２７０、及びＣ．Ｉ．ピグメントレッド２７２のようなレッド系の有機顔料；並びに、Ｃ．Ｉ．ピグメントオレンジ７１、Ｃ．Ｉ．ピグメントオレンジ７３、及びＣ．Ｉ．ピグメントオレンジ８１のようなオレンジ系の有機顔料が挙げられる。これらの中でも、より優れた彩度の記録物を得る観点から、Ｃ．Ｉ．ピグメントレッド２５４、Ｃ．Ｉ．ピグメントレッド２５５、及びＣ．Ｉ．ピグメントレッド２６４のレッド系の有機顔料が好ましく、Ｃ．Ｉ．ピグメントレッド２５４が、より優れた彩度を得る観点からより好ましい。これらのジケトピロロピロール顔料は、１種単独で用いてもよいし、２種以上混合して用いてもよい。
【００２２】
ジケトピロロピロール顔料は、ジケトピロロピロール赤色顔料であることが好ましい。ジケトピロロピロール赤色顔料とは、赤色を呈し、ジケトピロロピロール骨格を有するものであり、例えば、上述したレッド系顔料であるジケトピロロピロール赤色顔料が挙げられる。なお、ここで「赤色を呈」すとは、インクジェット組成物にして白色記録媒体の全面を覆うように塗布した記録物について、スペクトロリーノ（グレタグマクベス社製）を用いて測色した、ＣＩＥ表色系におけるＬ*Ｃ*ｈ色空間における、ｈが−３０°〜４５°となることであり、また、ｈが−３０°〜３２°となることが好ましく、ｈが−３０°〜３０°となることがより好ましく、ｈが−３０°〜２５°となることがさらに好ましい。
【００２３】
ジケトピロロピロール顔料の含有量は、特に限定されないが、顔料の総量（１００質量％）に対して、３０質量％以上１００質量％以下であり、５０質量％以上１００質量％以下であり、７０質量％以上１００質量％以下である。ジケトピロロピロール顔料の含有量がこのような範囲にある組成物を用いることにより、彩度により優れる傾向にある。
【００２４】
ジケトピロロピロール顔料の平均粒子径は、特に限定されないが、好ましくは５０ｎｍ以上３００ｎｍ以下であり、より好ましくは１００ｎｍ以上２４０ｎｍ以下であり、さらに好ましくは１５０ｎｍ以上２２０ｎｍ以下である。ジケトピロロピロール顔料の平均粒子径が５０ｎｍ以上であることにより、得られる記録物の彩度により優れる傾向にある。また、ジケトピロロピロール顔料の平均粒子径が３００ｎｍ以下であることにより、吐出安定性により優れる傾向にある。平均粒子径が上記範囲にあるジケトピロロピロール顔料を得るためには、特に限定されないが、粒子径が調整されている市販のジケトピロロピロール顔料を準備してもよく、粒子径が異なる複数種のジケトピロロピロール顔料を混合することにより平均粒子径を上記範囲に調整して準備してもよく、また市販のジケトピロロピロール顔料を溶剤に混合した後、ボールミル、ビーズミル、超音波破砕、ジェットミル等で係る混合物を適宜粉砕処理することにより、平均粒子径や粒子径の分布を所望のものに調整してもよい。さらに、他の平均粒子径の調節方法としては、一次粒子径として小さい顔料を用意して、これを溶剤（一部又は全部）に混合する際に、分散剤の添加量を変えて分散を行うことを採用できる。すなわち、分散剤を十分添加すれば一次粒子同士の凝集が防げられて一次粒子とあまり変わらない粒径で分散でき小さい一次粒子径に基づく平均粒子径とすることができ、逆に分散剤の添加量を少なくすることにより、一次粒子を凝集させて二次粒子の粒径に基づく平均粒子径とすることができる。なお、この場合には、出発する顔料の一次粒径は、より小さいものを用いると平均粒子径の調節の自由度が高まるためより好ましい。さらに、平均粒子径の調節の自由度を高めたい場合には、入手した顔料を一旦上記のようにボールミル等によって粉砕し、より小さなものにしてから、分散剤による平均粒子径の調節を行ってもよい。平均粒子径は、レーザー顕微鏡やコールターカウンター法等により測定される。ここで、「平均粒子径」とは、体積平均粒子径を意味する。
【００２５】
その他の顔料としては、例えば、従来の非水系インク組成物に通常用いられている無機顔料及び有機顔料等の顔料を用いることができる。これらのその他の顔料は、１種単独で用いてもよいし、２種以上混合して用いてもよい。
【００２６】
有機顔料としては、特に限定されないが、例えば、アゾ顔料（例えば、アゾレーキ、不溶性アゾ顔料、縮合アゾ顔料、キレートアゾ顔料）、多環式顔料（フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料）、染料レーキ（例えば、塩基性染料型レーキ、酸性染料型レーキ）、ニトロ顔料、ニトロソ顔料、アニリンブラック、並びに昼光蛍光顔料が挙げられる。
【００２７】
無機顔料としては、特に限定されないが、例えば、カーボンブラック、二酸化チタン、シリカ、及びアルミナが挙げられる。
【００２８】
また、その他の顔料として、ジケトピロロピロール顔料以外のレッド系の有機顔料（以下、「その他のレッド系の有機顔料」ともいう。）及びジケトピロロピロール顔料以外のオレンジ系の有機顔料（以下、「その他のオレンジ系の有機顔料」ともいう。）を用いることも、吐出安定性及び耐擦性の点から好ましい。
【００２９】
その他のレッド系の有機顔料としては、特に限定されないが、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７０、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１９４、Ｃ．Ｉ．ピグメントレッド２０９、Ｃ．Ｉ．ピグメントレッド２２２、及びＣ．Ｉ．ピグメントレッド２２４が挙げられる。
【００３０】
その他のオレンジ系の有機顔料としては、特に限定されないが、例えば、Ｃ．Ｉ．ピグメントオレンジ３１、Ｃ．Ｉ．ピグメントオレンジ４３、及びＣ．Ｉ．ピグメントオレンジ６４が挙げられる。
【００３１】
顔料の含有量は、組成物の総量（１００質量％）に対して、好ましくは０．５質量％以上１０質量％以下であり、より好ましくは１．０質量％以上５．０質量％以下であり、さらに好ましくは２．０質量％以上４．０質量％以下である。顔料の含有量が０．５質量％以上であることにより、得られる記録物の彩度により優れる傾向にあり、また、顔料の含有量が１０質量％以下であることにより、得られる記録物の耐擦性及び吐出安定性により優れる傾向にある。
【００３２】
＜有機溶剤＞
本実施形態の有機溶剤は、グリコールモノエーテルと、脂環構造を有する飽和炭化水素とを含有し、必要に応じて、グリコールジエーテル及び／又はラクトンをさらに含有してもよい。水酸基を持たず安定な脂環構造を有する飽和炭化水素と、水酸基を持ち吸湿しやすいグリコールモノエーテルとを含むことにより、保存安定性と、得られる記録物の彩度との両立を図ることができる。すなわち、ジケトピロロピロール顔料は、グリコールモノエーテルと組み合わせて用いると、彩度の観点でより良好となるものの、保存安定性が十分優れたものとならない場合があるところ、脂環構造を有する飽和炭化水素をさらに含むことにより、保存安定性についても優れる。
【００３３】
上記飽和炭化水素が有する脂環構造としては、特に限定されないが、例えば、シクロプロパン構造、シクロブタン構造、シクロペンタン構造、シクロヘキサン構造、シクロヘプタン構造、シクロオクタン構造、シクロノナン構造、シクロデカン構造、シクロウンデカン構造、シクロドデカン構造、シクロトリデカン構造、及びシクロテトラデカン構造が挙げられる。脂環構造を有する飽和炭化水素は、脂環構造を有する化合物であれば特に制限されず、アルキル基又はシクロアルキル基を有していてもよい。したがって、脂環構造を有する飽和炭化水素は一つの脂環構造を有するシクロアルカンに限定されるものではなく、二つの脂環構造を有するビシクロアルカンその他の複数の脂環構造を有する飽和炭化水素であってもよい。このような脂環構造を有する飽和炭化水素を含有することにより、保存安定性がより向上する傾向にある。なお、脂環構造を有する飽和炭化水素は、親水基を有さないものである。親水基としては、特に限定されないが、例えば、水酸基、アミン基、イミン基、アルコール基、チオール基、スルフォン酸基、カルボン酸基が挙げられる。親水基を有さないことにより、安定性がより向上する。このなかでも、一つの脂環構造を有するシクロアルカンが好ましく、無置換のシクロアルカンがより好ましく、炭素数８〜１２のシクロアルカンがさらに好ましく、シクロオクタン、シクロノナン、シクロデカン、シクロウンデカン、シクロドデカン、シクロトリデカン、及びシクロテトラデカンがよりさらに好ましい。一つの脂環構造を有するシクロアルカンを用いることにより、吐出安定性がより向上する傾向にあり、無置換のシクロアルカンを用いることにより、吐出安定性に加え保存安定性がさらに向上する傾向にあり、炭素数８〜１２のシクロアルカンを用いることにより、吐出安定性及び保存安定性に加え彩度がさらに向上する傾向にある。脂環構造を有する飽和炭化水素は、１種単独で用いても、２種以上を併用してもよい。
【００３４】
また、脂環構造を有する飽和炭化水素の炭素数は、好ましくは８以上であり、より好ましくは９以上である。また、脂環構造を有する飽和炭化水素の炭素数は、好ましくは１４以下であり、より好ましくは１３以下であり、さらに好ましくは１２以下である。脂環構造を有する飽和炭化水素の炭素数が８以上であることにより、非水系組成物の乾燥性がより低下し、それに伴い被記録媒体上に非水系組成物が十分に濡れ広がるため、彩度等の画質がより向上する傾向にある。また、脂環構造を有する飽和炭化水素の炭素数が１４以下であることにより、組成物の粘度が比較的に低下し、吐出安定性がより向上する傾向にあり、脂環構造を有する飽和炭化水素の炭素数が１２以下であることにより、吐出安定性と乾燥性がより向上する傾向にある。
【００３５】
脂環構造を有する飽和炭化水素の含有量は、非水系組成物の総量（１００質量％）に対して、好ましくは２０質量％以上であり、より好ましくは２５質量％以上であり、さらに好ましくは３０質量％以上である。また、脂環構造を有する飽和炭化水素の含有量は、非水系組成物の総量（１００質量％）に対して、好ましくは７０質量％以下であり、より好ましくは６５質量％以下であり、さらに好ましくは５０質量％以下である。脂環構造を有する飽和炭化水素の含有量が２０質量％以上であることにより、保存安定性がより向上する傾向にある。また、脂環構造を有する飽和炭化水素の含有量が７０質量％以下であることにより、得られる記録物の耐擦性がより向上する傾向にある。
【００３６】
グリコールモノエーテルとしては、下記式（１）で表される化合物が好ましい。
ＯＨ−（Ｒ2Ｏ）n−Ｒ1      （１）
式（１）中、Ｒ1は、炭素数１〜７のアルキル基を示し、Ｒ2は、炭素数１〜３のアルキレン基を示し、ｎは、１〜７の整数を示す。
【００３７】
式（１）で表される化合物としては、特に限定されないが、エチレングリコールモノメチルエーテル、エチレングリコールモノエチルエーテル、エチレングリコールモノｎ−プロピルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテルトリエチエレングリコールモノメチルエーテル、トリエチレングリコールモノエチルエーテル、トリエチレングリコールモノブチルエーテル、テトラエチレングリコールモノメチルエーテル、テトラエチレングリコールモノブチルエーテル、ペンタエチレングリコールモノメチルエーテル、プロピレングリコールモノメチルエーテル、プロピレングリコールモノエチルエーテル、ジプロピレングリコールモノメチルエーテル、ジプロピレングリコールモノエチルエーテル、及びトリプロピレングリコールモノメチルエーテルが挙げられる。これらの中でも、ジエチレングリコールモノメチルエーテル、トリエチレングリコールモノブチルエーテル、テトラエチレングリコールモノブチルエーテル、ペンタエチレングリコールモノメチルエーテル、ジプロピレングリコールモノメチルエーテル、及びトリプロピレングリコールモノメチルエーテルが挙げられる。
【００３８】
上述の好ましいグリコールモノエーテルを含有することにより、得られる記録物の彩度及び耐擦性により優れ、より優れた吐出安定性を得られる傾向にある。グリコールモノエーテルは、１種単独で用いても、２種以上を併用してもよい。
【００３９】
上述したグリコールモノエーテルは、分子量が２５１以下のものであることが好ましく、分子量が２１０以下のものであるとより好ましい。このような範囲であると、凝集しにくくなることに起因して、彩度が良好となる傾向にある。
【００４０】
グリコールモノエーテルの含有量は、組成物の総量（１００質量％）に対して、好ましくは２０質量％以下であり、より好ましくは１．０質量％以上１５質量％以下であり、さらに好ましくは３．０質量％以上７．０質量％以下である。グリコールモノエーテルの含有量が２０質量％以下にあることにより、保存安定性により優れる傾向にある。また、グリコールモノエーテルの含有量が１．０質量％以上であることにより、得られる記録物の彩度により優れる傾向にある。なお、ここでの組成物中のグリコールモノエーテルの含有量は、例えば分散液に用いたグリコールモノエーテルも含む含有量である。
【００４１】
有機溶剤は、グリコールジエーテルをさらに含有することにより、彩度及び耐擦性により優れる記録物が得られる傾向にある。グリコールジエーテルの具体例としては、特に限定されないが、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールエチルメチルエーテル、ジエチレングリコールジブチルエーテル、トリエチレングリコールジメチルエーテル、トリエチレングリコールジエチルエーテル、トリエチレングリコールジブチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、及び、ジプロピレングリコールジエチルエーテルが挙げられる。これらの中でも、ジエチレングリコールエチルメチルエーテル、ジエチレングリコールジエチルエーテル、及びテトラエチレングリコールジメチルエーテルが好ましく、ジエチレングリコールエチルメチルエーテルがより好ましい。
【００４２】
上述した好ましいグリコールジエーテルを含有することにより、得られる記録物の彩度及び耐擦性により優れ、より優れた吐出安定性を得られる傾向にある。グリコールジエーテルは、１種単独で用いても、２種以上を併用してもよい。
【００４３】
グリコールジエーテルの含有量は、組成物の総量（１００質量％）に対して、好ましくは５．０質量％以上９０質量％以下であり、より好ましくは２０質量％以上８０質量％以下であり、さらに好ましくは３０質量％以上７０質量％以下である。グリコールジエーテルの含有量がこのような範囲にあることにより、得られる記録物の彩度がより優れる傾向にある。なお、ここでの組成物中のグリコールジエーテルの含有量は、例えば分散液に用いたグリコールジエーテルも含む含有量である。
【００４４】
グリコールジエーテル及びグリコールモノエーテルの合計含有量は、組成物の総量（１００質量％）に対して、好ましくは３０質量％以上９９．５質量％以下であり、より好ましくは４０質量％以上９５質量％以下であり、さらに好ましくは５０質量％以上８０質量％以下である。グリコールジエーテル及びグリコールモノエーテルの合計含有量がこのような範囲にあることにより、得られる記録物の彩度により優れる傾向にある。なお、ここでの組成物中のグリコールジエーテル及びグリコールモノエーテルの合計含有量は、例えば分散液に用いたグリコールジエーテル及びグリコールモノエーテルも含む含有量である。
【００４５】
有機溶剤は、環状ラクトン類をさらに含有することにより、耐擦性により優れる記録物が得られる傾向にある。環状ラクトン類としては、エステル結合による環状構造を有する化合物であれば特に限定されないが、例えば、５員環構造のγ−ラクトン、６員環構造のδ−ラクトン、及び７員環構造のε−ラクトンが挙げられる。環状ラクトン類の具体例としては、特に限定されないが、γ−ブチロラクトン、γ−バレロラクトン、γ−ヘキサラクトン、γ−ヘプタラクトン、γ−オクタラクトン、γ−ノナラクトン、γ−デカラクトン、γ−ウンデカラクトン、δ−バレロラクトン、δ−ヘキサラクトン、δ−ヘプタラクトン、δ−オクタラクトン、δ−ノナラクトン、δ−デカラクトン、δ−ウンデカラクトン、及びε−カプロラクタムが挙げられる。これらの中でも、５員環構造のγ−ラクトン及び６員環構造のδ−ラクトンが好ましく、γ−ブチロラクトン、γ−バレロラクトン、及びδ−バレロラクトンがより好ましく、γ−ブチロラクトンがさらに好ましい。このような環状ラクトン類を含有することにより、耐擦性がより向上する傾向にある。環状ラクトン類は、１種単独で用いても、２種以上を併用してもよい。
【００４６】
環状ラクトン類の含有量は、組成物の総量（１００質量％）に対して、好ましくは１．０質量％以上５０質量％以下であり、より好ましくは３．０質量％以上４０質量％以下であり、さらに好ましくは５．０質量％以上３０質量％以下である。環状ラクトン類の含有量が１．０質量％以上であることにより、耐擦性により優れる傾向にあり、また、環状ラクトン類の含有量が５０質量％以下であることにより、彩度により優れる傾向にある。なお、ここでの組成物中の環状ラクトン類の含有量は、例えば分散液に用いた環状ラクトン類も含む含有量である。
【００４７】
有機溶剤の含有量は、組成物の総量（１００質量％）に対して、好ましくは３５質量％以上９５質量％以下であり、より好ましくは５０質量％以上９０質量％以下であり、さらに好ましくは６０質量％以上９０質量％以下である。なお、ここでの組成物中の有機溶剤の含有量は、例えば分散液に用いた有機溶剤も含む含有量である。
【００４８】
＜樹脂＞
本実施形態の組成物は、主に組成物の粘度を調整する目的で、樹脂をさらに含んでもよい。樹脂としては、特に限定されないが、例えば、アクリル樹脂、スチレンアクリル樹脂、ロジン変性樹脂、フェノール樹脂、テルペン系樹脂、ポリエステル樹脂、ポリアミド樹脂、エポキシ樹脂、塩化ビニル酢酸ビニル共重合体樹脂等の塩化ビニル樹脂、セルロースアセテートブチレート等の繊維系樹脂、及びビニルトルエン−α−メチルスチレン共重合体樹脂が挙げられる。これらの中でも、塩化ビニル樹脂が好ましく、塩化ビニル酢酸ビニル共重合体樹脂がより好ましい。このような樹脂を含むことにより、得られる記録物の耐擦性がより向上する傾向にある。これらの樹脂は、１種単独で用いてもよく、２種以上混合して用いてもよい。
【００４９】
樹脂の含有量は、組成物の総量（１００質量％）に対して、好ましくは０．１質量％以上１０質量％以下であり、より好ましくは０．３質量％以上５．０質量％以下であり、さらに好ましくは０．５質量％以上３．０質量％以下である。樹脂の含有量がこのような範囲にある組成物は、耐擦性により優れる傾向にある。
【００５０】
本実施形態の組成物は、上記の各成分の他に、従来の非水系インクジェット用インク組成物に用いられ得る任意の成分の１種又は２種以上を含んでもよい。そのような任意の成分として、具体的に、染料等の色材、界面活性剤、分散剤、浸透剤、保湿剤、溶解助剤、粘度調整剤、ｐＨ調整剤、酸化防止剤、防腐剤、防黴剤、腐食防止剤、及び分散に影響を与える金属イオンを捕獲するためのキレート化剤その他の添加剤及び溶媒等が挙げられる。これらはそれぞれ、１種を単独で又は２種以上を組み合わせて用いられる。
【００５１】
［インクジェット記録方法］
本実施形態のインクジェット記録方法は、上述した非水系組成物を用いて、被記録媒体にインクジェット法により記録を行う工程を有する。具体的には、上記非水系組成物の液滴を吐出し、被記録媒体、好ましくは低吸収性被記録媒体、に該液滴を付着させて画像を記録する。
【００５２】
本明細書において「低吸収性被記録媒体」とは、ブリストー（Ｂｒｉｓｔｏｗ）法において接触開始から３０ｍｓｅｃ1/2までの水吸収量が１０ｍＬ／ｍ2以下である被記録媒体のことをいい、少なくとも被記録面がこの性質を備えていればよい。この定義によれば、本発明における「低吸収性被記録媒体」には、水を全く吸収しない非吸収性被記録媒体も含まれる。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。
【００５３】
低吸収性被記録媒体としては、具体的には、低吸収性の材料を含むシート、フィルム、繊維製品等が挙げられる。また、低吸収性被記録媒体は、基材（例えば、紙、繊維、皮革、プラスチック、ガラス、セラミックス、金属等）の表面に、低吸収性の材料を含む層（以下、「低吸収性層」ともいう）を備えたものであってもよい。低吸収性の材料としては、特に限定されないが、例えば、オレフィン系樹脂、エステル系樹脂、ウレタン系樹脂、アクリル系樹脂、及び塩化ビニル系樹脂が挙げられる。
【００５４】
これらの中でも、低吸収性被記録媒体としては、塩化ビニル系樹脂を含む被記録面を有するものを好ましく用いることができる。これにより、得られる記録物の濡れ広がり性に優れることに起因して、より優れた彩度を得ることができる傾向にある。塩化ビニル系樹脂の具体例としては、例えば、ポリ塩化ビニル、塩化ビニル−エチレン共重合体、塩化ビニル−酢酸ビニル共重合体、塩化ビニル−ビニルエーテル共重合体、塩化ビニル−塩化ビニリデン共重合体、塩化ビニル−マレイン酸エステル共重合体、塩化ビニル−（メタ）アクリル酸共重合体、塩化ビニル−（メタ）アクリル酸エステル共重合体、及び塩化ビニル−ウレタン共重合体が挙げられる。なお、低吸収性被記録媒体の厚み、形状、色、軟化温度、硬さ等の諸特性については特に制限されない。
【００５５】
本実施形態の非水系組成物は、上記の組成を有することにより、特に低吸収性被記録媒体、とりわけ塩化ビニル系樹脂を含む被記録媒体に対して、優れた彩度及び耐擦性という効果を発揮することができる。そのため、本実施形態に係るインクジェット記録方法によれば、特に低吸収性被記録媒体、とりわけ塩化ビニル系樹脂を含む被記録媒体に上記非水系組成物の液滴を付着させることで、彩度及び耐擦性に一層優れた画像を記録することができる。
【００５６】
本実施形態のインクジェット記録方法に用いるインクジェット記録装置は、特に限定されないが、ドロップオンデマンド型のインクジェット記録装置が好ましい。ドロップオンデマンド型のインクジェット記録装置には、記録ヘッドに配設された圧電素子を用いて記録を行う圧電素子記録方法を採用したもの、記録ヘッドに配設された発熱抵抗素子のヒーター等による熱エネルギーを用いて記録を行う熱ジェット記録方法を採用したもの等があるが、いずれの記録方法も採用することができる。以下、本実施形態のインクジェット記録装置の一例について、より詳細に説明する。
【００５７】
［インクジェット記録装置］
本実施形態のインクジェット記録装置には、従来公知のインクジェットプリンターを用いることができる。インクジェットプリンターとしては、例えば、図１に示すようなインクジェットプリンター（以下、単に「プリンター」ともいう。）が挙げられる。
【００５８】
図１は、本実施形態におけるプリンター１の構成を示す斜視図である。図１に示すように、プリンター１は、インクジェット式記録ヘッド２を搭載すると共にインクカートリッジ３を着脱可能に装着するキャリッジ４と、インクジェット式記録ヘッド（インクジェットヘッド）２の下方に配設され被記録媒体６が搬送されるプラテン５と、キャリッジ４を被記録媒体６の媒体幅方向（主走査方向Ｓ）に移動させるキャリッジ移動機構７と、被記録媒体６を媒体送り方向に搬送する媒体送り機構８と、を有するものである。加えて、プリンター１は、当該プリンター１全体の動作を制御する制御部ＣＯＮＴを有している。
【００５９】
記録ヘッド２は、収容した非水系組成物をノズルから吐出させるキャビティーと、当該キャビティー毎に設けられた、非水系組成物に吐出の駆動力を付与する吐出駆動部と、当該キャビティー毎に設けられた、ヘッドの外へ非水系組成物を吐出するノズルと、を有する。キャビティー、並びにキャビティー毎に設けられる吐出駆動部及びノズルは、それぞれ互いに独立して、一のヘッドに複数個設けられていてもよい。吐出駆動部は、機械的な変形によりキャビティーの容積を変化させる圧電素子等の電気機械変換素子や、熱を発することにより非水系組成物に気泡を発生させ吐出させる電子熱変換素子などを用いて形成することができる。プリンター１は、１種の非水系組成物につきヘッドを１個設けていても複数個設けていてもよい。
【００６０】
インクカートリッジ３は、独立した複数のカートリッジからなり、カートリッジ毎に上述した非水系組成物が充填されている。なお、非水系組成物が充填されたカートリッジは、通常の印刷時にはキャリッジ４上に搭載されていなくてもよく、少なくとも非水系組成物の流路を洗浄する場合にキャリッジ４に装着されていればよい。
【００６１】
プラテン５はプラテンヒーターを備え、被記録媒体を設定温度に加熱できるように構成されている。記録ヘッド２にはヒーターは内蔵されていない。ただし、被記録媒体の加熱により記録ヘッドの温度も結果的に上昇し、記録ヘッド２内に収容された非水系組成物の温度も上昇する傾向にある。図示はしないが、プリンター１は、プラテンヒーターよりも下流の被記録媒体搬出経路にアフターヒーターを備えていてもよい。
【００６２】
上述した本実施形態の非水系組成物は、記録ヘッド２から吐出される。ここで、記録ヘッド２から非水系組成物が吐出される際のプラテンの温度は３５℃以上が好ましく、４０℃以上がさらに好ましい。また、記録ヘッド２から非水系組成物が吐出される際のプラテンの温度は、８０℃以下が好ましく、７０℃以下がより好ましく、６０℃以下が更に好ましく、５０℃以下が特に好ましい。プラテンヒーターによりプラテンを上記範囲内の温度とすることで記録物の品質をより良好にできる点で好ましい。
【００６３】
また、本実施形態では、記録ヘッド２から吐出される際の吐出周波数が１．０ｋＨｚ以上２００ｋＨｚ以下であることが好ましい。吐出周波数が上記以下の場合、吐出安定性がより優れる点で好ましく、上記以上の場合、記録速度がより速い点で好ましい。吐出周波数は、１非水系組成物滴の吐出単位の吐出の周波数を意味する。吐出周波数は、記録速度を更に高める観点から、２．０ｋＨｚ以上が好ましく、３．０ｋＨｚ以上がより好ましく、５．０ｋＨｚ以上が更に好ましく、１０ｋＨｚ以上が特に好ましい。また、吐出周波数は、吐出安定性をより高める観点から、２００ｋＨｚ以下が好ましく、１５０ｋＨｚ以下がより好ましく、１００ｋＨｚ以下が更に好ましく、５０ｋＨｚ以下が特に好ましい。さらに言えば、記録速度を確保しつつ吐出安定性に一層優れる点で、吐出周波数は、２０ｋＨｚ以下が好ましく、１５ｋＨｚ以下がより好ましい。一方、吐出安定性を確保しつつ記録速度に一層優れる点で、吐出周波数は、１５ｋＨｚ以上が好ましく、２０ｋＨｚ以上がより好ましい。
【００６４】
本実施形態のプリンター１としては、インクカートリッジ３をキャリッジ４に搭載した、いわゆるオンキャリッジタイプのプリンターを例示したが、これに限定されるものではない。例えば、非水系組成物が充填されたインク収容体（例えば、インクパック、インクカートリッジ等）をプリンター１の筐体等に装着して、インク供給チューブを介してヘッド２に供給する、いわゆるオフキャリッジタイプのプリンターであってもよい。
【００６５】
本実施形態のインクジェット記録装置には、複数の非水系組成物を有するインクセットを用いることができる。本実施形態のインクセットは、複数の本実施形態の非水系インクジェット組成物を有するものであってもよく、その他に、本実施形態の非水系インクジェット組成物とは異なる非水系組成物（その他の非水系組成物）をさらに有するものであってもよい。また、その場合には、インクセットは、本実施形態の非水系組成物をマゼンタインク、その他の非水系組成物をイエローインク、及びシアンインクとして有するインクセットであってもよく、本実施形態の非水系組成物をレッドインク、その他の非水系組成物をマゼンタインク、イエローインク、及びシアンインクとして有するインクセットであってもよい。色再現性をより優れたものとする観点で、本実施形態の非水系組成物をレッドインクとして用い、その他の非水系組成物であるマゼンタインク、イエローインク、及びシアンインクと併用することが好ましい。
【実施例】
【００６６】
以下、実施例及び比較例を挙げて本実施形態をより具体的に説明するが、本実施形態はその要旨を超えない限り、以下の実施例及び比較例によって何ら限定されるものではない。
【００６７】
下記の実施例及び比較例において用いた非水系組成物用の主な材料は、以下の通りである。
〔非水系組成物用〕
〔顔料〕
Ｃ．Ｉ．ピグメントレッド２５４（ＰＲ−２５４、平均粒子径１７０ｎｍ）（東京化成工業社製商品名Pigment Red 254）
Ｃ．Ｉ．ピグメントレッド１７７（ＰＲ−１７７、平均粒子径１７０ｎｍ）（Hangzhou Xcolor Chemical Company社製商品名Pigment Red 177）
Ｃ．Ｉ．ピグメントレッド１７９（ＰＲ−１７９、平均粒子径１７０ｎｍ）（Gaoyou Auxiliary Factory社製商品名Pigment Red 179）
Ｃ．Ｉ．ピグメントレッド２２４（ＰＲ−２２４、平均粒子径１７０ｎｍ）（Hangzhou Xcolor Chemical Company社製商品名Pigment Red 224）
〔有機溶剤〕
シクロオクタン（Ｃ8Ｈ16）（東京化成工業社製、商品名Cyclooctane）
シクロノナン（Ｃ9Ｈ18）（HONEST JOY HOLDINGS LIMITED製、商品名Cyclononane）
シクロデカン（Ｃ10Ｈ20）（東京化成工業社製、商品名Cyclodecane）
シクロウンデカン（Ｃ11Ｈ22）
シクロドデカン（Ｃ12Ｈ24）（東京化成工業社製、商品名Cyclododecane）
シクロトリデカン（Ｃ13Ｈ26）（CARBONE SCIENTIFIC CO.,LTD製、商品名CYCLOTRIDECANE）
シクロテトラデカン（Ｃ14Ｈ28）（CARBONE SCIENTIFIC CO.,LTD製、CYCLOTETRADECANE）
シクロオクタノール（Ｃ8Ｈ16Ｏ）（東京化成工業社製、商品名Cyclooctanol）
シクロノナノール（Ｃ9Ｈ18Ｏ）
デカン（Ｃ10Ｈ22）（東京化成工業社製、商品名Decane）
ジエチレングリコールメチルエチルエーテル（引火点６４℃）（日本乳化剤社製、商品名MEDG）
ジエチレングリコールジエチルエーテル（引火点７１℃）（日本乳化剤社製、商品名DEDG）
ジエチレングリコールモノメチルエーテル（引火点１０５℃）（日本乳化剤社製、商品名MDG）
ジプロピレングリコールモノメチルエーテル（引火点７６．５℃）（東京化成工業社製、商品名Dipropylene Glycol Monomethyl Ether）
トリエチレングリコールモノブチルエーテル（引火点１５６℃）（東京化成工業社製、商品名Triethylen Glycol Monobutyl Ether）
トリプロピレングリコールモノメチルエーテル（引火点１２３℃）（東京化成工業社製、商品名Tripropylene Glycol Monomethyl Ether）
テトラエチレングリコールモノブチルエーテル（引火点１６６℃）（KHネオケム社製、商品名ブチセノール40）
ペンタエチレングリコールモノメチルエーテル（引火点１５４．７℃）（東京化成工業社製、商品名Pentaethylene Glycol Monomethyl Ether）
γ−ブチロラクトン  （東京化成工業社製、商品名γ-Butyrolactone）
δ−バレロラクトン  （東京化成工業社製、商品名δ-Valerolactone）
〔分散剤〕
ＢＹＫ−２０５０（ビックケミージャパン社製商品名）
〔界面活性剤〕
ノイゲンＬＰ−７０（第一工業社製商品名）
〔樹脂〕
ソルバインＣＬ（塩化ビニル酢酸ビニル共重合樹脂、日信化学工業社製商品名）
【００６８】
（顔料分散液の調製）
顔料として上記の一次粒子径１７０ｎｍのピグメントレッド２５４（ＰＲ−２５４）を準備した。次に、分散剤としてＢＹＫ−２０５０（ビックケミージャパン社製商品名）を用い、上記顔料に対して質量比０．１〜２０質量％の範囲で分散剤の添加量を変えて分散液を作製することにより、所望の体積平均粒子径の分散液とする分散を行った。分散媒としては、インク組成物ごとに溶剤として最も含有量の多い溶剤を分散媒として用い顔料分散液とした。なお、一次粒径よりも小さい体積平均粒子径を有するＰＲ−２５４については、ボールミルにより粉砕処理して所望の体積平均粒子径のＰＲ−２５４を得た。
【００６９】
顔料の体積平均粒子径は、得られた顔料分散液をジエチレングリコールジエチルエーテルにて１０００ｐｐｍ以下に希釈し、２０℃の環境下でレーザー回折・散乱法（マイクロトラックＵＰＡ２５０、日機装株式会社製）によって測定された体積平均粒子径（メディアン径Ｄ５０）の値を読み取ることにより測定した。その結果、平均粒子径が５０ｎｍ、１００ｎｍ、２４０ｎｍ、３００ｎｍのＣ．Ｉ．ピグメントレッド２５４が得られた。
【００７０】
［非水系組成物の調製］
各材料を下記の表１及び表２に示す組成で混合し、十分に撹拌し、各組成物を得た。なお、下記の表１及び表２中、数値の単位は質量％であり、合計は１００．０質量％である。
【００７１】
【表１】
2017132890.tif 000002
【００７２】
【表２】
2017132890.tif 000003
【００７３】
〔記録物の作製〕
インクジェットプリンター（セイコーエプソン社製、商品名「ＳＣ−Ｓ７０６５０」）に被記録媒体である透明ＰＥＴメディア（リンテック社製、型番「Ｅ−１０００ＺＣ」）を搬入し、吐出ヘッドに実施例及び比較例で得られた各組成物を充填し、１００％濃度、解像度７２０×１４４０ｄｐｉ、１８ｍｇ／ｉｎｃｈ2の条件下で各組成物を吐出し、２５℃、６５％ＲＨ（相対湿度）にて１日間乾燥させ、各記録物を得た。
【００７４】
（評価１）保存安定性
実施例及び比較例で得られた各組成物を密閉容器に入れて６０℃の環境下で４週間放置し、放置の前後における組成物の粘度をＨＡＡＫＥレオメータＲＳ７５（商品名、Thermo Fisher Scientific社製粘度計）により測定した。次いで、インクの粘度の変化率を以下の式により求め、下記評価基準により保存安定性を評価した。得られた結果を、表１及び表２に示す。
粘度変化率＝｛（４週間後の粘度値）／（初期粘度値）×１００｝−１００（％）
（評価基準）
３：粘度変化率が２％未満
２：粘度変化率が２％以上３％未満
１：粘度変化率が３％以上
【００７５】
（評価２）画質（彩度）
得られた各記録物について、彩度（Ｃ*）の評価を行った。具体的には、得られた各記録物について、スペクトロリーノ（商品名、グレタグマクベス社製分光光度計）を用いてａ*値ｂ*値の測色を行い、Ｃ*を算出し、下記評価基準により彩度を評価した。なお、Ｃ*の値は、Ｃ*の算出値の小数点以下を四捨五入した整数値とした。得られた結果を、表１及び表２に示す。
（評価基準）
４：Ｃ*値が１００以上
３：Ｃ*値が９０〜９９
２：Ｃ*値が８０〜８９
１：Ｃ*値が７９以下
【００７６】
（評価３）吐出安定性
実施例及び比較例で得られた各組成物を、インクジェットプリンター（セイコーエプソン社製、商品名「ＳＣ−Ｓ７０６５０」）に充填した。次いで、３６０ノズルを備えたインクジェットヘッドから周波数５ｋＨｚで吐出し、被記録媒体である透明ＰＥＴメディア（リンテック社製、型番「Ｅ−１０００ＺＣ」）にベタパターンを連続して３００秒間形成し続けた（Ｌドット、６００×６００ｄｐｉ）後、吐出を停止し、これを１シーケンスとした。その後、同様の操作を１０シーケンス繰り返した。こうして得られた記録物のベタパターンから、インクのドット抜け、飛行曲がり、及び飛び散りを確認した。これらの現象が確認されたノズルを不良ノズルとし、全ノズル中の不良ノズルの割合をカウントし、吐出安定性を評価した。得られた結果を、表１及び表２に示す。
（評価基準）
３：不良ノズル数が０個
２：不良ノズル数が１〜４個
１：不良ノズル数が５個以上
【００７７】
（評価４）耐擦性
得られた各記録物を、ＪＩＳ  Ｋ５７０１（ＩＳＯ１１６２８）に準じて、学振型摩擦堅牢度試験機（テスター産業株式会社製、商品名「ＡＢ−３０１」）に綿布（金巾２０番）を取り付けた摩擦子で、荷重５００ｇをかけて２０往復擦った。そして、そして、被記録媒体の記録物の擦過痕及び剥離を目視で観察し、下記評価基準により耐擦性を評価した。得られた結果を、表１及び表２に示す。
（評価基準）
３：２０往復擦った後、綿布に汚れ（付着物）がなく、記録物に傷が認められない。
２：２０往復擦った後、綿布に汚れ（付着物）が認められるが、記録物に傷が認められない。
１：２０往復擦った後、綿布に汚れ（付着物）があり、記録物に傷が認められる。
【００７８】
表１及び表２に示す実施例及び比較例の対比により、本発明に係る非水系インクジェット組成物により、優れた耐擦性及び彩度の記録物が得られることが分かった。さらには、該非水系インクジェット組成物は、吐出安定性及び保存安定性にも優れることが分かった。
【符号の説明】
【００７９】
１…プリンター、２…インクジェット式記録ヘッド、３…インクカートリッジ、４…キャリッジ、５…プラテン、６…被記録媒体、７…キャリッジ移動機構、８…媒体送り機構、７０…インクパック、７２…カートリッジケース、７４…インク供給口、７６…本体ケース、７８…蓋部
【図１】
2017132890.tif 000004